(57)【要約】【課題】生産コストが大幅に低減になり、且つ内部の電池部材の保全およびリサイクルをする場合に、エンドカバーと缶体とを破壊する必要がなくなる二次電池用電池缶を提供する。【解決手段】電池部材を収容し、一つの缶体と、一つの密封カバーと、複数のネジとを含む二次電池用電池缶において、缶体は電池部材を収容する中空空間を有し、一端は端部開口に形成され、他端が缶体底部に一体成形され、缶体底部の端面には開口が一つ開設され、密封カバーは、その端面には開口が一つ開設してあり、端面の周縁に近接する箇所では貫通孔が複数に開設してあり、密封カバーは缶体の端部開口をカバーするものであり、貫通孔が缶体のねじ穴に対応し、ネジは密封カバーに開設された貫通孔を貫入して缶体に開設されたねじ穴に螺入して、密封カバーと缶体とを緊密に結合するものである。【選択図】図２
2008021482.tif 000002
【特許請求の範囲】
【請求項１】
電池部材を収容し、一つの缶体と、一つの密封カバーと、複数のネジとを含む二次電池用電池缶において、
前記缶体は、電池部材を収容する中空空間を有し、一端は端部開口に形成され、他端が缶体底部に一体成形され、前記缶体底部の端面には開口が一つ開設され、なお、前記缶体の端部開口の周縁の外側には環状板が形成され、前記環状板の端面には複数のねじ穴が等距離に環状に開設され、
前記密封カバーは、その端面には開口が一つ開設してあり、前記端面の周縁に近接する箇所では貫通孔が複数に開設してあり、前記密封カバーは、前記缶体の端部開口をカバーするものであり、前記貫通孔が前記缶体のねじ穴に対応し、
前記ネジは、前記密封カバーに開設された貫通孔を貫入して前記缶体に開設されたねじ穴に螺入して、前記密封カバーと前記缶体とを緊密に結合するものであり、且つ前記缶体底部と前記密封カバーとの開口から電池部材がそれぞれ伸び出し可能であることを特徴とする、
二次電池用電池缶。
【請求項２】
前記環状板の端面ではシールパッキンが一つ配置してあり、前記缶体の端部開口に密封カバーをねじ込んで結合した後、前記缶体の環状板と、前記シールパッキンと、前記密封カバーの裏壁面とが緊密に押圧されて密封状態になることを特徴とする、請求項１に記載の二次電池用電池缶。
【請求項３】
電池部材を収容し、一つの缶体と、一つの密封カバーと、複数のネジとを含む二次電池用電池缶において、
前記缶体は、電池部材を収容する中空空間を有し、一端は端部開口に形成され、他端が缶体底部に一体成形され、前記缶体底部の端面には開口が一つ開設され、なお、前記缶体の端部開口の周縁の外側には環状板が形成され、前記環状板の端面には複数のねじ穴が等距離に環状に開設され、
前記密封カバーは、一端がプレート形状を持つ端面に成形され、前記端面には開口が一つ開設してあり、前記端面の周縁から軸方向に沿って円筒が形成され、前記円筒の周縁の外側には連結壁が成形され、前記連結壁の端面には複数の貫通孔が等距離に環状に開設され、前記密封カバーは、前記缶体の端部開口をカバーするものであり、前記貫通孔が前記缶体のねじ穴に対応し、
前記ネジは、前記密封カバーに開設された貫通孔を貫入して前記缶体に開設されたねじ穴に螺入して、前記密封カバーと前記缶体とを緊密に結合するものであり、且つ前記缶体底部と前記密封カバーとの開口から電池部材がそれぞれ伸び出し可能であることを特徴とする、
二次電池用電池缶。
【請求項４】
電池部材を収容し、一つの缶体と、二つの密封カバーと、複数のネジとを含む二次電池用電池缶において、
前記缶体は、電池部材を収容する中空空間を有し、両端は端部開口に形成され、前記二つの端部開口の周縁の外側には環状板が形成され、前記環状板の端面には複数のねじ穴が等距離に環状に開設され、
前記密封カバーは、端面には電池部材を伸び出すための開口が一つ開設してあり、前記端面の周縁に近接する箇所では貫通孔が複数に開設され、前記密封カバーは、前記缶体の二つの端部開口をカバーするものであり、前記貫通孔が前記缶体のねじ穴に対応し、
前記ネジは、前記密封カバーに開設された貫通孔を貫入して前記缶体に開設されたねじ穴に螺入して、前記密封カバーと前記缶体とを緊密に結合するものであり、且つ前記缶体底部と前記密封カバーとの開口から電池部材がそれぞれ伸び出し可能であることを特徴とする、
二次電池用電池缶。
【発明の詳細な説明】
【技術分野】
【０００１】
本発明は、二次電池用電池缶に係り、特に、二次電池用電池缶の端部開口の密封構造および組付構造に関するものである。
【背景技術】
【０００２】
従来の二次電池の構造は、図１に示す米国特許第5849431号のように、主に、中空の缶体１０内には、一つの極巻き１１と、一つの中心棒１２と、複数の導電柄１３と、二つの電池端子１４と、二つのナット１５と、二つのエンドカバー１６とが収容されて構成されるものであり、前記極巻き１１は、中心棒１２を複数層に巻き付けて構成されるものであり、前記極巻き１１から引き出す複数の導電柄１３が電池端子１４の外側に溶接され、前記電池端子１４の端部のねじ軸１４１が電池端子１６に開設された貫通孔１６１を貫入してナット１５で螺着し固定され、これにより、電池端子１４とエンドカバー１６とが緊密に結合され、最後に、缶体１０の上下端部開口１０１に二つのエンドカバー１６をカバーした後に、レーザー溶接により、二つのエンドカバー１６と缶体１０とを緊密に結合する。
【０００３】
特に、二つのエンドカバーと缶体との結合は、レーザー溶接により両者を一体にするので、レーザー溶接の設備および加工プロセスが極めて精確ではないと、二つのエンドカバーと缶体との間には肉眼で観察できない隙間が発生し易く、この隙間により電池内部の電解液が漏れ出し易く、これは電池機能回復不能の故障になる問題がある。
【０００４】
また、従来のように、レーザー溶接により、二つのエンドカバーと缶体とを結合する場合には、二つのエンドカバーと缶体とを結合したと、それらを破壊しない状態では、内部の電池部材を取り出すことができなく、だから、内部の電池部材の保全およびリサイクルは容易に実施できなかった。
【特許文献１】米国特許第5849431号
【発明の開示】
【発明が解決しようとする課題】
【０００５】
本発明の主な目的は、レーザー溶接加工を採用しなく、螺着方式によってエンドカバーと缶体とを結合することにより、生産コストが大幅に低減になる二次電池用電池缶を提供する。
【０００６】
本発明の次の目的は、レーザー溶接加工を採用しなく、螺着方式によってエンドカバーと缶体とを結合することにより、内部の電池部材の保全およびリサイクルをする場合に、エンドカバーと缶体とを破壊する必要がなくなる二次電池用電池缶を提供する。
【課題を解決するための手段】
【０００７】
上記目的を達成するためになされた本願の発明は、電池部材を収容し、一つの缶体と、一つの密封カバーと、複数のネジとを含む二次電池用電池缶において、前記缶体は、電池部材を収容する中空空間を有し、一端は端部開口に形成され、他端が缶体底部に一体成形され、前記缶体底部の端面には開口が一つ開設され、なお、前記缶体の端部開口の周縁の外側には環状板が形成され、前記環状板の端面には複数のねじ穴が等距離に環状に開設され、前記密封カバーは、その端面には開口が一つ開設してあり、前記端面の周縁に近接する箇所では貫通孔が複数に開設してあり、前記密封カバーは、前記缶体の端部開口をカバーするものであり、前記貫通孔が前記缶体のねじ穴に対応し、前記ネジは、前記密封カバーに開設された貫通孔を貫入して前記缶体に開設されたねじ穴に螺入して、前記密封カバーと前記缶体とを緊密に結合するものであり、且つ前記缶体底部と前記密封カバーとの開口から電池部材がそれぞれ伸び出し可能であることを特徴とする二次電池用電池缶であることを要旨としている。
【０００８】
本願の発明では、前記環状板の端面ではシールパッキンが一つ配置してあり、前記缶体の端部開口に密封カバーをねじ込んで結合した後、前記缶体の環状板と、前記シールパッキンと、前記密封カバーの裏壁面とが緊密に押圧されて密封状態になることを特徴とする請求項１に記載の二次電池用電池缶であることを要旨としている。
【０００９】
本願の発明では、電池部材を収容し、一つの缶体と、一つの密封カバーと、複数のネジとを含む二次電池用電池缶において、前記缶体は、電池部材を収容する中空空間を有し、一端は端部開口に形成され、他端が缶体底部に一体成形され、前記缶体底部の端面には開口が一つ開設され、なお、前記缶体の端部開口の周縁の外側には環状板が形成され、前記環状板の端面には複数のねじ穴が等距離に環状に開設され、前記密封カバーは、一端がプレート形状を持つ端面に成形され、前記端面には開口が一つ開設してあり、前記端面の周縁から軸方向に沿って円筒が形成され、前記円筒の周縁の外側には連結壁が成形され、前記連結壁の端面には複数の貫通孔が等距離に環状に開設され、前記密封カバーは、前記缶体の端部開口をカバーするものであり、前記貫通孔が前記缶体のねじ穴に対応し、前記ネジは、前記密封カバーに開設された貫通孔を貫入して前記缶体に開設されたねじ穴に螺入して、前記密封カバーと前記缶体とを緊密に結合するものであり、且つ前記缶体底部と前記密封カバーとの開口から電池部材がそれぞれ伸び出し可能であることを特徴とする二次電池用電池缶であることを要旨としている。
【００１０】
本願の発明では、電池部材を収容し、一つの缶体と、二つの密封カバーと、複数のネジとを含む二次電池用電池缶において、前記缶体は、電池部材を収容する中空空間を有し、両端は端部開口に形成され、前記二つの端部開口の周縁の外側には環状板が形成され、前記環状板の端面には複数のねじ穴が等距離に環状に開設され、前記密封カバーは、端面には電池部材を伸び出すための開口が一つ開設してあり、前記端面の周縁に近接する箇所では貫通孔が複数に開設され、前記密封カバーは、前記缶体の二つの端部開口をカバーするものであり、前記貫通孔が前記缶体のねじ穴に対応し、前記ネジは、前記密封カバーに開設された貫通孔を貫入して前記缶体に開設されたねじ穴に螺入して、前記密封カバーと前記缶体とを緊密に結合するものであり、且つ前記缶体底部と前記密封カバーとの開口から電池部材がそれぞれ伸び出し可能であることを特徴とする二次電池用電池缶であることを要旨としている。
【発明の効果】
【００１１】
本発明の二次電池用電池缶によれば、レーザー溶接加工を採用しなく、螺着方式によってエンドカバーと缶体とを結合することにより、生産コストが大幅に低減になり、且つ内部の電池部材の保全およびリサイクルをする場合に、エンドカバーと缶体とを破壊する必要がなくなる効果がある。
【発明を実施するための最良の形態】
【００１２】
以下、添付図面を参照して本発明の好適な実施の形態を詳細に説明する。
【００１３】
まず、図２と図３を参照する。本発明の二次電池用電池缶は、主に、電池缶の内部に電池部材が収容され、缶体の端部に端部開口が設けてあり、前記端部開口が一つの密封カバーでカバーして複数のネジで螺着し結合して構成されるものである。
【００１４】
前記缶体２０は、電池部材を収容する中空空間を有し、一端は端部開口２１に形成され、他端が缶体底部２２に一体成形され、前記缶体底部２２の端面には開口２２１が一つ開設され、前記缶体２０の内部には電池部材（例えば極巻き１１、中心棒１２、電池端子１４およびナット１５など）が収容され、電池端子１４が前記缶体底部２２に開設された開口２２１から伸び出し可能であり、なお、前記缶体２０の端部開口２１の周縁の外側には環状板２３が形成され、前記環状板２３の端面には複数のねじ穴２３１が等距離に環状に開設された。
【００１５】
前記密封カバー３０は、その端面には電池端子１４を伸び出し可能である開口３１が一つ開設してあり、ナット１５により前記電池端子１４と密封カバー３０とが緊密に緊迫され、なお、前記端面の周縁に近接する箇所では貫通孔３２が複数に開設してあり、前記密封カバー３０は、前記缶体２０の端部開口２１をカバーするものであり、前記貫通孔３２が前記缶体２０のねじ穴２３１に対応する。
【００１６】
前記ネジ４０は、前記密封カバー３０に開設された貫通孔３２を貫入して前記缶体２０に開設されたねじ穴２３１に螺入して、前記密封カバー３０と前記缶体２０とを緊密に結合するものである。
【００１７】
このように、本発明は、構成が極めて簡潔であり、且つ缶体と密封カバーとを結合し密封する場合には、精密なレーザー溶接を使用しなく、缶体と密封カバーとを結合し密封することができる。
【００１８】
また、図２と図３に示すように、本発明では、缶体２０の端部開口２１の周縁の外側には環状板２３が形成され、前記環状板２３の端面には複数のねじ穴２３１が等距離に環状に開設され、且つ密封カバー３０には前記ねじ穴２３１に対応する貫通孔３２が複数に開設され、電池部材を電池缶に入れて缶体２０の端部開口２１に密封カバー３０をカバーする作業の場合には、組合った極巻き１１などの電池部材を端部開口２１から缶体２０の内部に入れて、一端の電池端子１４の端部を缶体２０に開設された開口２２１から伸び出せて、次に、缶体２０の端部開口２１に密封カバー３０を直接にカバーし、ねじ穴２３１を貫通孔３２に対応して、密封カバー３０に開設された貫通孔３２にネジ４０を貫入してねじ穴２３１に螺入することにより、密封カバー３０と、缶体２０の端部開口２１とが密封し結合するようになり、また、電池の他端である電池端子１４が密封カバー３０の開口３１から伸び出し、だから、上記説明から明らかなように、本発明によれば、レーザー溶接作業または複雑の精密作業を使用することが必要なくなり、生産コストが大幅に低減になる。
【００１９】
特に、実際には、ネジ４０により缶体２０と密封カバー３０とを螺着し結合した後の密封性を確保するために、環状板２３の端面にシールパッキン５０１を設けてもよく、そうすると、缶体２０の端部開口２１に密封カバー３０を螺着し結合した後に、缶体２０の環状板２３と、シールパッキン５０と、密封カバー３０の裏壁面とが緊密に押圧する状態になり、密封効果を達成することができ、また、ナット１５と、密封カバー３０の開口３１との間に、およびナット１５と、缶体底部２２の開口２２１との間に、シールパッキン５０２も配置してあり、これにより、密封カバー３０または缶体底部２２にシールパッキン５０２を設置してネジで緊迫したと、開口２２１，３１とナット１５とが気密状態になり、また、環状板２３に密封ゲルを塗布してもよく、そうすると、缶体２０に密封カバー３０を螺入し結合したと、密封カバー３０と缶体２０とが気密状態になる。
【００２０】
また、図４を参照する。これは、図３に示すような缶体に環状板付き密封カバーをカバーして構成される電池缶であって、缶体２０ａは、電池部材を収容する中空空間を有し、一端は端部開口２１ａに形成され、他端が缶体底部２２ａに一体成形され、前記缶体底部２２ａの端面には電池端子１４を伸び出す開口２２１ａが一つ開設され、なお、前記缶体２０ａの端部開口２１ａの周縁の外側には環状板２３ａが形成され、前記環状板２３ａの端面には複数のねじ穴２３１ａが等距離に環状に開設され、密封カバー３０ａは、端面の周縁から軸方向に沿って円筒３３が形成され、前記円筒３３の周縁の外側には連結壁３４が成形され、前記連結壁３４の端面には複数の貫通孔３２ａが等距離に環状に開設され、これにより、缶体２０ａの端部開口２１ａに密封カバー３０ａをカバーすることができ、且つ缶体２０ａのねじ穴２３１ａに密封カバー３０ａの貫通孔３２ａを位置合せると、密封カバー３０ａの貫通孔３２ａにネジ４０ａを貫入して缶体２０ａのねじ穴２３１ａに螺入し結合すると、密封カバー３０ａと缶体２０ａとが緊密に結合する状態になり、電池缶が構成され、且つ電池部材が、缶体底部２２ａの開口２２１ａと、密封カバー３０ａの開口３１ａとからそれぞれ伸び出し可能である。
【００２１】
本発明は、上記のように、缶体と密封カバーとをネジで結合する構成の他に、図５に示すように、缶体に二つの密封カバーをネジで結合する構成でもよく、これは、当該缶体２０ｂは、電池部材を収容する中空空間を有し、両端は端部開口２１ｂに形成され、前記二つの端部開口２１ｂの周縁の外側には環状板２３ｂが形成され、前記環状板２３ｂの端面には複数のねじ穴２３１ｂが等距離に環状に開設され、前記二つの密封カバー３０ｂは、端面には電池部材を伸び出すための開口３１ｂが一つ開設してあり、ナット１５により、電池端子１４と密封カバー３０ｂとが緊迫状態になり、また、前記端面の周縁に近接する箇所では貫通孔３２ｂが複数に開設され、前記二つの密封カバー３０ｂは、前記缶体２０ｂの二つの端部開口２１ｂをカバーするものであり、前記各貫通孔３２ｂを前記缶体２０ｂのねじ穴２３１ｂに位置合せて、前記密封カバー３０ｂに開設された貫通孔３２ｂにネジ４０ｂを貫入して前記缶体２０ｂに開設されたねじ穴２３１ｂに螺入して、前記密封カバーと前記缶体とを緊密に結合すると、電池缶が構成された。
【００２２】
特に、電池内部の部材を修理またはリサイクルする場合には、本発明の構成によれば、ネジを緩めて密封カバーを取り出すだけで、部材が一切損傷しない状態で、電池内部の部材を取り出して修理またはリサイクルすることができ、更に、缶体自身をリサイクルすることもできる。
【図面の簡単な説明】
【００２３】
【図１】米国特許第5849431号で開示した二次リチウム電池の構造の局部断面図である。
【図２】本発明の構造を示す分解斜視図である。
【図３】本発明の構造の組合状態を示す断面図である。
【図４】本発明の缶体に環状板付き密封カバーをカバーして構成された電池缶の結合状態を示す断面図である。
【図５】本発明の缶体に二つの密封カバーをカバーして構成された電池缶の結合状態を示す断面図である。
【符号の説明】
【００２４】
１０      缶体            
１０１    端部開口
１１      極巻き  
１２      中心棒
１３      導電柄  
１４      電池端子
１４１    ねじ軸
１５      ナット
１６      エンドカバー
１６１    貫通孔
２０，２０ａ，２０ｂ        缶体
２１，２１ａ，２１ｂ        端部開口
２２，２２ａ                缶体底部
２２１，２２１ａ            開口
２３，２３ａ，２３ｂ        環状板
２３１，２３１ａ，２３１ｂ  ねじ穴
３０，３０ａ，３０ｂ        密封カバー
３１，３１ａ，３１ｂ        開口
３２，３２ａ，３２ｂ        貫通孔
３３      円筒                    
３４      連結壁
４０，４０ａ，４０ｂ        ネジ
５０１，５０２              シールパッキン
【図１】
2008021482.tif 000003
【図２】
2008021482.tif 000004
【図３】
2008021482.tif 000005
【図４】
2008021482.tif 000006
【図５】
2008021482.tif 000007